(57)【要約】【課題】電子付箋システムを用いた会議において業務リストの検討を行う場合、付箋と業務リストの項目が対応する情報処理装置を提供する。【解決手段】情報処理装置の付箋生成手段は、業務リストから、業務の属性に対応する第１付箋と、該属性の値に対応する第２付箋と、該業務リストの業務内容に対応する第３付箋を生成し、貼付手段は、前記第１付箋と前記第２付箋を軸上に配置し、該第２付箋に対応する位置に、前記第３付箋を貼り付ける。【選択図】図１
2020140280.tif 000002
【特許請求の範囲】
【請求項１】
業務リストから、業務の属性に対応する第１付箋と、該属性の値に対応する第２付箋と、該業務リストの業務内容に対応する第３付箋を生成する付箋生成手段と、
前記第１付箋と前記第２付箋を軸上に配置し、該第２付箋に対応する位置に、前記第３付箋を貼り付ける貼付手段
を有する情報処理装置。
【請求項２】
前記貼付手段は、選択された属性に対応する第１付箋と前記第２付箋を軸上に配置する、
請求項１に記載の情報処理装置。
【請求項３】
前記貼付手段は、選択されなかった属性に対応する第１付箋を、前記軸とは異なる場所に配置する、
請求項２に記載の情報処理装置。
【請求項４】
前記付箋生成手段は、前記属性の値が設定されていない業務内容がある場合は、該属性の値が設定されていないことを示す第２付箋を生成する、
請求項１に記載の情報処理装置。
【請求項５】
前記貼付手段は、前記属性が２つ選択されている場合は、一方の属性を縦軸とし、他方の属性を横軸として、前記第１付箋と前記第２付箋と前記第３付箋を貼り付ける、
請求項１に記載の情報処理装置。
【請求項６】
操作者によって生成された付箋が、前記第２付箋に対応する位置に貼り付けられた場合、該付箋を前記第３付箋に変換する変換手段
をさらに有する請求項１に記載の情報処理装置。
【請求項７】
前記第２付箋が移動されると、該第２付箋の移動にともなって前記第３付箋を移動する移動手段
をさらに有する請求項１に記載の情報処理装置。
【請求項８】
前記第１付箋、前記第２付箋、前記第３付箋から、業務リストを生成する業務リスト生成手段
をさらに有する請求項６又は７に記載の情報処理装置。
【請求項９】
コンピュータを、
業務リストから、業務の属性に対応する第１付箋と、該属性の値に対応する第２付箋と、該業務リストの業務内容に対応する第３付箋を生成する付箋生成手段と、
前記第１付箋と前記第２付箋を軸上に配置し、該第２付箋に対応する位置に、前記第３付箋を貼り付ける貼付手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、グループウェアの機能間における多様な情報を連携させ、利用者の操作性を向上するネットワークシステム、サーバー装置、及びグループウェアプログラムを提供することを課題とし、記憶手段は、画像オブジェクトに付帯するデータを、重畳して表示されるウインドウに対応付けて記憶し、画像オブジェクトに付帯するデータが複数いずれのウインドウ上にあっても画像オブジェクトが付帯するデータを全てデータ項目内に格納可能であり、クライアント装置は、第一のウインドウ上の画像オブジェクトが座席表ウインドウの座席画像上へ移動操作等されたときサーバー装置に当該画像オブジェクトに付帯するデータの更新要求を行い、記憶手段は、画像オブジェクトに付帯するデータを継承しつつ、当該画像オブジェクトが移動又は複写操作された座席画像に付帯するユーザデータ及び伝言ビューウインドウに対応付けて、データ項目内に格納することが開示されている。
【先行技術文献】
【特許文献】
【０００３】
【特許文献１】特開２０１１−１６４６９６号公報
【発明の概要】
【発明が解決しようとする課題】
【０００４】
行わなければならない業務内容を所定の項目ごとに整理した業務リスト（いわゆるＴｏＤｏリスト）が一般的に作成されている。一方、会議において、電子付箋システムを用いて台紙に付箋を貼り付ける作業が行われる場合がある。電子付箋システムを用いた会議において業務リストの検討を行う場合、付箋と業務リストの項目が対応する情報処理装置及び情報処理プログラムを提供することを目的としている。
【課題を解決するための手段】
【０００５】
かかる目的を達成するための本発明の要旨とするところは、次の各項の発明に存する。
請求項１の発明は、業務リストから、業務の属性に対応する第１付箋と、該属性の値に対応する第２付箋と、該業務リストの業務内容に対応する第３付箋を生成する付箋生成手段と、前記第１付箋と前記第２付箋を軸上に配置し、該第２付箋に対応する位置に、前記第３付箋を貼り付ける貼付手段を有する情報処理装置である。
【０００６】
請求項２の発明は、前記貼付手段は、選択された属性に対応する第１付箋と前記第２付箋を軸上に配置する、請求項１に記載の情報処理装置である。
【０００７】
請求項３の発明は、前記貼付手段は、選択されなかった属性に対応する第１付箋を、前記軸とは異なる場所に配置する、請求項２に記載の情報処理装置である。
【０００８】
請求項４の発明は、前記付箋生成手段は、前記属性の値が設定されていない業務内容がある場合は、該属性の値が設定されていないことを示す第２付箋を生成する、請求項１に記載の情報処理装置である。
【０００９】
請求項５の発明は、前記貼付手段は、前記属性が２つ選択されている場合は、一方の属性を縦軸とし、他方の属性を横軸として、前記第１付箋と前記第２付箋と前記第３付箋を貼り付ける、請求項１に記載の情報処理装置である。
【００１０】
請求項６の発明は、操作者によって生成された付箋が、前記第２付箋に対応する位置に貼り付けられた場合、該付箋を前記第３付箋に変換する変換手段をさらに有する請求項１に記載の情報処理装置である。
【００１１】
請求項７の発明は、前記第２付箋が移動されると、該第２付箋の移動にともなって前記第３付箋を移動する移動手段をさらに有する請求項１に記載の情報処理装置である。
【００１２】
請求項８の発明は、前記第１付箋、前記第２付箋、前記第３付箋から、業務リストを生成する業務リスト生成手段をさらに有する請求項６又は７に記載の情報処理装置である。
【００１３】
請求項９の発明は、コンピュータを、業務リストから、業務の属性に対応する第１付箋と、該属性の値に対応する第２付箋と、該業務リストの業務内容に対応する第３付箋を生成する付箋生成手段と、前記第１付箋と前記第２付箋を軸上に配置し、該第２付箋に対応する位置に、前記第３付箋を貼り付ける貼付手段として機能させるための情報処理プログラムである。
【発明の効果】
【００１４】
請求項１の情報処理装置によれば、電子付箋システムを用いた会議において業務リストの検討を行う場合、付箋と業務リストの項目を対応させることができる。
【００１５】
請求項２の情報処理装置によれば、選択された属性に対応する第１付箋と第２付箋を軸上に配置することができる。
【００１６】
請求項３の情報処理装置によれば、選択されなかった属性に対応する第１付箋を、軸とは異なる場所に配置することができる。
【００１７】
請求項４の情報処理装置によれば、属性の値が設定されていない業務内容がある場合は、その属性の値が設定されていないことを示す第２付箋を生成することができる。
【００１８】
請求項５の情報処理装置によれば、属性が２つ選択されている場合は、一方の属性を縦軸とし、他方の属性を横軸として、付箋を貼り付けることができる。
【００１９】
請求項６の情報処理装置によれば、第２付箋に対応する位置に貼り付けられた付箋を第３付箋に変換することができる。
【００２０】
請求項７の情報処理装置によれば、第２付箋の移動にともなって第３付箋を移動することができる。
【００２１】
請求項８の情報処理装置によれば、付箋から、業務リストを生成することができる。
【００２２】
請求項９の情報処理プログラムによれば、電子付箋システムを用いた会議において業務リストの検討を行う場合、付箋と業務リストの項目を対応させることができる。
【図面の簡単な説明】
【００２３】
【図１】本実施の形態の構成例についての概念的なモジュール構成図である。
【図２】本実施の形態を利用したシステム構成例を示す説明図である。
【図３】本実施の形態が使用される会議室等（会議室等）における、電子付箋端末、情報処理装置の使用例を示す説明図である。
【図４】会合情報テーブルのデータ構造例を示す説明図である。
【図５】台紙情報テーブルのデータ構造例を示す説明図である。
【図６】付箋情報テーブルのデータ構造例を示す説明図である。
【図７】ＴｏＤｏ管理テーブルのデータ構造例を示す説明図である。
【図８】台紙内軸管理テーブルのデータ構造例を示す説明図である。
【図９】本実施の形態による処理例を示すフローチャートである。
【図１０】表示用ＴｏＤｏ管理テーブルのデータ構造例を示す説明図である。
【図１１】本実施の形態による処理例を示す説明図である。
【図１２】本実施の形態による処理例を示すフローチャートである。
【図１３】表示用ＴｏＤｏ管理テーブルのデータ構造例を示す説明図である。
【図１４】本実施の形態による処理例を示す説明図である。
【図１５】本実施の形態による処理例を示す説明図である。
【図１６】本実施の形態による処理例を示すフローチャートである。
【図１７】本実施の形態による処理例を示すフローチャートである。
【図１８】本実施の形態による処理例を示す説明図である。
【図１９】表示用ＴｏＤｏ管理テーブルのデータ構造例を示す説明図である。
【図２０】本実施の形態を実現するコンピュータのハードウェア構成例を示すブロック図である。
【発明を実施するための形態】
【００２４】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（「ソフトウェア」の解釈として、コンピュータ・プログラムを含む）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（例えば、コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（例えば、データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（「２以上の値」には、もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（「ネットワーク」には、一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（つまり、社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスクドライブ、ＲＡＭ（Ｒａｎｄｏｍ  Ａｃｃｅｓｓ  Ｍｅｍｏｒｙの略）、外部記憶媒体、通信回線を介した記憶装置、ＣＰＵ（Ｃｅｎｔｒａｌ  Ｐｒｏｃｅｓｓｉｎｇ  Ｕｎｉｔの略）内のレジスタ等を含んでいてもよい。
【００２５】
本実施の形態である情報処理装置１００は、業務リストと付箋との連携処理に関する機能を有しており、図１の例に示すように、業務リスト記憶モジュール１０５、付箋・業務リスト管理モジュール１１０、操作受付モジュール１２５、付箋処理モジュール１３０、貼付モジュール１４５、表示モジュール１５０を有している。
情報処理装置１００は、具体的には、会合において用いられる台紙と付箋に関する処理を行うものである。情報処理装置１００は、電子付箋制御装置、電子付箋システム、電子白板等ともいわれているものを含む。また、付箋は、電子付箋、電子カード等ともいわれる。情報処理装置１００は、業務リストから付箋を生成することを行う。
なお、会合は、複数人が集まって話し合うことであればよく、例えば、会議、ワークショップ、アイデア抽出会、検討会、相談、議論、集会、ミーティング等を含む。
情報処理装置１００は、具体的には、付箋を用いて、ファシリテーター（ファシリテーターは、一般的には１人）と複数人の参加者によって行われる会合で利用される。参加者は参加者用端末としての電子付箋端末２５０を用いて、アイデア等が記載された付箋を作成する。一般的に、図２の例に示すように、電子付箋端末２５０として、各参加者が所持する電子付箋端末２５０Ａ、電子付箋端末２５０Ｂ等（以下、代表して電子付箋端末２５０という）のように複数ある。そして、情報処理装置１００は、電子付箋端末２５０から付箋を受け取って、台紙（又は背景）上にその付箋を貼り付ける。ファシリテーターは情報処理装置１００の表示装置である共有画面を用いて、その台紙上で、付箋の位置を決定又は変更したり、付箋をまとめたり（「付箋をまとめる」とは、複数の付箋を関連付けること、グループ形成等ともいわれる）、自らも付箋情報の作成等を行って、その会合を進行させる。なお、本実施の形態において、参加者には、ファシリテーターを含む。
【００２６】
付箋・業務リスト管理モジュール１１０は、業務リスト生成モジュール１１５、付箋生成モジュール１２０を有しており、業務リスト記憶モジュール１０５、貼付モジュール１４５と接続されている。付箋・業務リスト管理モジュール１１０は、業務リスト記憶モジュール１０５内の業務リストと付箋とを関係付ける。具体的には、付箋から業務リストを生成し、業務リストから付箋を生成することを行う。
【００２７】
業務リスト記憶モジュール１０５は、付箋・業務リスト管理モジュール１１０と接続されている。業務リスト記憶モジュール１０５は、業務リストを記憶している。ここで「業務リスト」とは、行わなければならない業務内容を所定の項目ごとに整理した配列であって、少なくとも１つ以上の属性を有している。業務リストの具体例として、ＴｏＤｏリストが該当する。また、属性の具体例として、納期、担当、重要度等が該当する。
なお、業務リスト記憶モジュール１０５は、情報処理装置１００内に具備されていてもよいし、図２の例に示すように、通信回線を介して業務リスト管理装置２９０内に具備されていてもよい。
【００２８】
付箋生成モジュール１２０は、業務リストから、業務の属性に対応する第１付箋と、その属性の値に対応する第２付箋と、その業務リストの業務内容に対応する第３付箋を生成する。
ここで「第１付箋」とは、属性（又は、属性名）が記載された付箋であって、前述の例では、「納期」、「担当」、「重要度」等の内容が記載された付箋が該当する。
また「第２付箋」とは、属性値が記載された付箋であって、「担当」の属性値として、具体的な担当者である「Ａさん」、「Ｂさん」等が記載された付箋が該当する。
「第３付箋」とは、業務リストの業務内容に対応している。「業務リストの業務内容」は、前述の「行わなければならない業務」である。第３付箋として、例えば、２つの軸によって構成される平面空間において、第１軸における「担当」の第１付箋と第２軸における「Ａさん」の第２付箋の交差する位置に貼り付けられた、担当であるＡさんが行わなければならない業務の内容が記載された付箋が該当する。
また、付箋生成モジュール１２０は、属性の値が設定されていない業務内容がある場合は、その属性の値が設定されていないことを示す第２付箋を生成するようにしてもよい。具体的には、後述する「Ｎｏｔ  Ａｓｓｉｇｎｅｄ」が記載された付箋等が該当する。
【００２９】
業務リスト生成モジュール１１５は、台紙上に貼り付けられた第１付箋、第２付箋、第３付箋から、業務リストを生成する。つまり、付箋生成モジュール１２０が業務リストから付箋を生成するのに対して、逆の処理である、付箋から業務リストを生成する処理を行う。具体的には、台紙上の縦軸又は横軸の近辺に配置されている付箋であって、付箋のタイプが第１付箋であるものから業務リストの属性を設定し、台紙上の縦軸又は横軸の近辺に配置されている付箋であって、付箋のタイプが第２付箋であるものから業務リストの属性値を設定し、台紙上で第２付箋の位置に対応する位置にある第３付箋から業務内容を設定すればよい。縦軸と横軸がある場合は、第３付箋の位置に対応する縦軸上の第２付箋と横軸上の第２付箋を抽出し、縦軸上の第２付箋と横軸上の第２付箋の属性値を有する業務内容とすればよい。なお、縦軸と横軸がある場合は、縦軸上の第２付箋の位置と横軸上の第２付箋の位置が交差する位置に、第３付箋が配置されている。
【００３０】
操作受付モジュール１２５は、付箋処理モジュール１３０と接続されている。操作受付モジュール１２５は、ユーザーの操作を受け付ける。ユーザーの操作として、付箋の生成に関する操作、台紙上に既に貼り付けられた付箋に関する操作等がある。例えば、操作受付モジュール１２５は、台紙、付箋を表示しているタッチパネルを兼ねる液晶ディスプレイを制御して、ユーザーの操作を受け付ける。この他、マウス、キーボード、カメラ、マイク等を用いたユーザーの操作（視線、ジェスチャ、音声等も含む）を受け付けるようにしてもよい。
【００３１】
付箋処理モジュール１３０は、変換モジュール１３５、移動モジュール１４０を有しており、操作受付モジュール１２５、貼付モジュール１４５と接続されている。付箋処理モジュール１３０は、付箋に関する処理を行う。例えば、付箋の生成処理、移動処理、削除処理等がある。
変換モジュール１３５は、操作者によって生成された付箋が、第２付箋に対応する位置に貼り付けられた場合、その付箋を第３付箋に変換する。
移動モジュール１４０は、第２付箋が移動されると、その第２付箋の移動にともなって第３付箋を移動する。
【００３２】
貼付モジュール１４５は、付箋・業務リスト管理モジュール１１０、付箋処理モジュール１３０、表示モジュール１５０と接続されている。貼付モジュール１４５は、第１付箋と第２付箋を軸上に配置し、その第２付箋に対応する位置に、第３付箋を貼り付ける。
ここで「軸」として、縦軸又は横軸がある。
また「第１付箋と第２付箋を軸上に配置」として、複数の第２付箋を軸となる直線上に配置し、その第２付箋の属性を示す位置に第１付箋を配置すればよい。なお、「直線上」とは、厳密な直線である必要はなく、複数の付箋が軸上に配置されているとわかる程度でよい。なお、第１付箋の位置（第２付箋の属性を示す位置）は、軸の周辺であればよく、例えば、第２付箋の並びの先頭又は最後尾であってもよいし、第２付箋の並びの中央付近の周辺であってもよい。
また、貼付モジュール１４５は、選択された属性に対応する第１付箋と第２付箋を軸上に配置するようにしてもよい。
なお「選択された属性」における「選択」は、ユーザーによって選択された属性であってもよいし、予め定められた属性であってもよい。
さらに、貼付モジュール１４５は、選択されなかった属性に対応する第１付箋を、軸とは異なる場所に配置するようにしてもよい。「軸とは異なる場所」とは、軸上の位置とは関係のない位置であり、その軸で構成される空間ではない場所である。例えば、縦軸を左端に表示し、横軸を上端に表示した場合、その軸で構成される空間以外の右下の位置が該当する。選択されなかった属性の付箋を台紙上に表示することによって、軸として表示した属性以外にも属性があることがユーザーにわかるようになる。そして、軸として選択されなかった属性を軸として採用することもできる。
また、貼付モジュール１４５は、属性が２つ選択されている場合は、一方の属性を縦軸とし、他方の属性を横軸として、第１付箋と第２付箋と第３付箋を貼り付けるようにしてもよい。
【００３３】
表示モジュール１５０は、貼付モジュール１４５と接続されている。表示モジュール１５０は、台紙、付箋等を画面に表示する。例えば、表示モジュール１５０は、タッチパネルを兼ねる液晶ディスプレイを制御して、台紙、付箋を表示し、ユーザーに対してメッセージ等を提示する。この他、スピーカーによって音声を出力するようにしてもよいし、触覚デバイスを用いた触感によって、ユーザーへのメッセージを提示するようにしてもよい。
【００３４】
図２は、本実施の形態を利用したシステムの構成例を示す説明図である。情報処理装置１００は、一般的に大画面の表示装置を備えており、ファシリテーターによって操作される。この表示装置は、表示モジュール１５０によって制御されており、参加者全員が見ることができるものである。各電子付箋端末２５０は、会合における参加者によって操作され、一般的には、各参加者が１台ずつ所持している。例えば、電子付箋端末２５０として、タブレット型端末等が使用される。
図２の例では、会議室２８０Ａには、情報処理装置１００Ａ、電子付箋端末２５０Ａ、電子付箋端末２５０Ｂ、電子付箋端末２５０Ｃが設置されており、会合が行われる。情報処理装置１００Ａ、電子付箋端末２５０Ａ、電子付箋端末２５０Ｂ、電子付箋端末２５０Ｃは、通信回線２９８を介してそれぞれ接続されている。通信回線２９８は、無線、有線、これらの組み合わせであってもよく、例えば、通信インフラとしてのインターネット、イントラネット等であってもよい。
また、会議室２８０Ｂには、情報処理装置１００Ｂ、電子付箋端末２５０Ｄ、電子付箋端末２５０Ｅが設置されており、会議室２８０Ａとは別個の会合が行われる。情報処理装置１００Ｂ、電子付箋端末２５０Ｄ、電子付箋端末２５０Ｅは、通信回線２９８を介してそれぞれ接続されている。
【００３５】
そして、ユーザー端末２１０Ａ、ユーザー端末２１０Ｂ、業務リスト管理装置２９０、台紙・付箋情報記憶装置２９４、会議室２８０Ａ内の機器、会議室２８０Ｂ内の機器は、通信回線２９９を介してそれぞれ接続されている。通信回線２９９は、無線、有線、これらの組み合わせであってもよく、例えば、通信インフラとしてのインターネット、イントラネット等であってもよい。また、業務リスト管理装置２９０、台紙・付箋情報記憶装置２９４による機能は、クラウドサービスとして実現してもよい。
【００３６】
業務リスト管理装置２９０は、業務リスト記憶モジュール１０５を具備しており、各情報処理装置１００に対して業務リストを供給する。業務リスト管理装置２９０は、ＴｏＤｏ管理装置等ともいわれる。各情報処理装置１００は、業務リスト管理装置２９０を用いて処理を行うようにしてもよい。この場合、業務リスト管理装置２９０内の業務リストを複数の情報処理装置１００で共有してもよい。つまり、情報処理装置１００Ａが管理している業務リストを、情報処理装置１００Ｂが利用できるようにしてもよい。
具体的には、第３付箋に記載された内容をＴｏＤｏ項目とし、その第３付箋が貼り付けられた領域のユーザーである担当者、期限等を設定し、その進捗を管理する。進捗が変化した場合は、情報処理装置１００にその内容を送信する。
【００３７】
台紙・付箋情報記憶装置２９４は、台紙、付箋に関する情報を記憶している。各情報処理装置１００は、台紙・付箋情報記憶装置２９４を用いて処理を行うようにしてもよい。この場合、台紙・付箋情報記憶装置２９４内の台紙と付箋に関する情報を複数の情報処理装置１００で共有してもよい。つまり、情報処理装置１００Ａが管理している台紙と付箋に関する情報を、情報処理装置１００Ｂが利用できるようにしてもよい。
また、ユーザー端末２１０は、会合の参加者が利用するものであり、自分のＴｏＤｏ項目を作成したり、会合で生成された第３付箋の内容を自分のＴｏＤｏ項目として割り振ったりする。また、そのＴｏＤｏ項目の進捗状況を、参加者はユーザー端末２１０を操作して、業務リスト管理装置２９０に登録したりする。
【００３８】
図３は、本実施の形態が使用される会議室等２８０等における、電子付箋端末２５０、情報処理装置１００の使用例を示す説明図である。
図３（ａ）の例に示すように、会議室等内に、参加者３１１、３１２、ファシリテーター３２１が集まっている。参加者３１１は電子付箋端末２５０Ａを利用し、参加者３１２は電子付箋端末２５０Ｂを利用する。一般的に、電子付箋端末２５０は参加者１人に１個付与されており、図３（ｃ）の例に示す電子付箋端末２５０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す情報処理装置１００ｘは、プロジェクターであって、台紙及び付箋を表示する。また、情報処理装置１００ｙは、電子白板であって、ファシリテーター３２１の指又はペン等の動きを検知して、付箋を台紙に貼り付けること、付箋の移動、付箋のグループ形成を行うこと等の操作を受け付けるものである。例えば、情報処理装置１００ｙにペンが備えられており、そのペンが予め定められたペン置きから離れたこと（具体的には、ファシリテーター３２１が操作するためにペンを持ち上げたこと）、そしてペンの先端の位置（具体的には、ペン先端が情報処理装置１００ｙに触れたこと等）を検知することによって、台紙、付箋に対する操作を受け付ける。例えば、ペン置きにセンサー（具体的には、ペンの重力でスイッチがオンオフとなるセンサー等）を設け、複数のペン（具体的には、黒色のペン、赤色のペン、青色のペン等）のうち、どのペンが用いられているかを検知すればよい。また、情報処理装置１００ｙの表示画面全体がタッチセンサーであり、表示画面に触れられた位置、圧力を検知すればよい。本例では、ペンのオンオフはペン置きによって制御するが、必ずしもペン置きがある必要はない。ペン側で直接オンオフを制御できるようにしても構わない。色の変更に関してもペン置きを必要とせずに、表示画面上の一部分にカラーパレットを用意しておき、目的の色を指又はペン等がタッチすることで色を変更したり、ペンに色を変える指示をするための機能（具体的には、それらの機能を発揮させるためのボタンやスライダ等）が備わっていたりしても構わない。
また、情報処理装置１００は、図３（ｂ）の例に示すような電子ボードであってもよい。電子ボードは、一般的に大画面の表示装置（少なくとも、電子付箋端末２５０の表示装置よりも大きい）を有しており、その表示装置はタッチパネルであり、表示画面に触れられた位置、圧力を検知する。例えば、画面として、８０インチ等の大きさを備えたものであってもよい。
【００３９】
図４は、会合情報テーブル４００のデータ構造例を示す説明図である。会合情報テーブル４００は、貼付モジュール１４５によって管理されている。会合情報テーブル４００は、会合ＩＤ欄４１０、会合名欄４１５、日時欄４２０、台紙ＩＤ欄４２５、参加人数欄４３０、参加者ＩＤ欄４３５を有している。会合ＩＤ欄４１０は、本実施の形態において、会合を一意に識別するための情報（具体的には、会合ＩＤ：ＩＤｅｎｔｉｆｉｃａｔｉｏｎ）を記憶している。会合名欄４１５は、その会合の会合名を記憶している。日時欄４２０は、その会合が行われた日時（日時とは、年、月、日、時、分、秒、秒以下、又はこれらの組み合わせであってもよい）又は期間を記憶している。台紙ＩＤ欄４２５は、本実施の形態において、その会合で用いられた台紙を一意に識別するための情報（具体的には、台紙ＩＤ）を記憶している。参加人数欄４３０は、その会合における参加人数を記憶している。参加者ＩＤ欄４３５は、本実施の形態において、参加者を一意に識別するための情報（具体的には、参加者ＩＤのリスト）を記憶している。
【００４０】
図５は、台紙情報テーブル５００のデータ構造例を示す説明図である。台紙情報テーブル５００は、貼付モジュール１４５によって管理されている。台紙情報テーブル５００は、台紙ＩＤ欄５１０、台紙パターンＩＤ欄５１５、作成日時欄５２０、作成者欄５２５を有している。台紙ＩＤ欄５１０は、台紙ＩＤを記憶している。台紙パターンＩＤ欄５１５は、背景となる台紙パターンＩＤを記憶している。例えば、白紙のパターン、表形式のパターン等がある。さらに、台紙パターンとして、例えば、ＴｏＤｏ管理用の台紙パターンとしてもよい。具体的には、会合の参加者が決定した時点で、その会合の参加者の名称を記載した付箋又は似顔絵のアイコンを描いた付箋が予め貼り付けられたものであってもよい。さらに、縦軸に各担当者の付箋が貼り付けられており、各担当者に領域を割り当てたパターンを用意してもよい。作成日時欄５２０は、その台紙の作成日時を記憶している。作成者欄５２５は、その台紙の作成者を記憶している。
【００４１】
図６は、付箋情報テーブル６００のデータ構造例を示す説明図である。付箋情報テーブル６００は、貼付モジュール１４５によって管理されている。付箋情報テーブル６００は、付箋ＩＤ欄６１０、台紙ＩＤ欄６１５、貼付位置欄６２０、サイズ欄６２５、作成日時欄６３０、作成者欄６３５、貼付日時欄６４０、色欄６４５、枠線形状欄６５０、枠線色欄６５５、枠線太さ欄６６０、所属グループ欄６６５、タイプ欄６７０、内容種別欄６７５、内容欄６８０を有している。付箋ＩＤ欄６１０は、付箋のＩＤを記憶している。台紙ＩＤ欄６１５は、その付箋が貼り付けられている台紙のＩＤを記憶している。貼付位置欄６２０は、その付箋が貼り付けられる位置を記憶している。つまり、台紙上の貼り付け位置を記憶している。例えば、台紙のＸＹ座標系における座標（例えば、付箋の中心、左上端等の位置）である。サイズ欄６２５は、その付箋のサイズを記憶している。例えば、提示する付箋が矩形である場合は、幅と高さを記憶している。作成日時欄６３０は、その付箋が作成された日時を記憶している。作成者欄６３５は、その付箋の作成者を記憶している。又は、その付箋が作成された情報処理装置（例えば、電子付箋端末２５０又は情報処理装置１００の機器ＩＤ）を記憶してもよい。貼付日時欄６４０は、その付箋が台紙に貼り付けられた日時を記憶している。色欄６４５は、その付箋の表示色を記憶している。枠線形状欄６５０は、その付箋の表示における枠線の形状（例えば、実線、点線、破線、波線、二重線等）を記憶している。枠線色欄６５５は、その付箋の表示における枠線の色を記憶している。枠線太さ欄６６０は、その付箋の表示における枠線の太さを記憶している。所属グループ欄６６５は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。タイプ欄６７０は、その付箋の型を記憶している。具体的には、業務の属性が記載されている第１付箋、その属性の値が記載されている第２付箋、業務内容が記載されている第３付箋がある。内容種別欄６７５は、その付箋の内容種別（例えば、テキスト情報、手書き文字又は図形等を示すベクトルデータ、音声情報、写真等の静止画像情報、動画情報等、又はこれらの組み合わせを示す情報）を記憶している。内容欄６８０は、その付箋に書き込まれている内容を記憶している。
【００４２】
図７は、ＴｏＤｏ管理テーブル７００のデータ構造例を示す説明図である。ＴｏＤｏ管理テーブル７００は、業務リスト記憶モジュール１０５に記憶されている。ＴｏＤｏ管理テーブル７００は、ＴｏＤｏＩＤ欄７１０、ＴｏＤｏ付箋ＩＤ欄７１５、業務内容（ＴｏＤｏ内容）欄７２０、属性欄７２５を有しており、属性欄７２５は、担当欄７３０、重要度欄７３５、状態欄７４０、納期欄７４５等を有している。ＴｏＤｏＩＤ欄７１０は、本実施の形態において、ＴｏＤｏを一意に識別するための情報（具体的には、ＴｏＤｏＩＤ）を記憶している。ＴｏＤｏ付箋ＩＤ欄７１５は、本実施の形態において、ＴｏＤｏ付箋を一意に識別するための情報（具体的には、ＴｏＤｏ付箋ＩＤ）を記憶している。業務内容（ＴｏＤｏ内容）欄７２０は、業務内容（具体的には、ＴｏＤｏ内容）を記憶している。属性欄７２５は、属性を記憶している。属性の具体的内容として、担当欄７３０等がある。担当欄７３０は、そのＴｏＤｏの担当を記憶している。重要度欄７３５は、そのＴｏＤｏの重要度を記憶している。状態欄７４０は、そのＴｏＤｏの状態を記憶している。例えば、完了、５０％終了等がある。納期欄７４５は、そのＴｏＤｏの納期を記憶している。第１付箋として担当欄７３０等の名称（例えば、「担当」等）が記載され、第２付箋として担当欄７３０等の欄内の値（例えば、「Ａさん」等）が記載され、第３付箋として業務内容（ＴｏＤｏ内容）欄７２０の欄内の値（例えば、「仕様書作成」等）が記載される。
例えば、ＴｏＤｏ管理テーブル７００の１行目に示すように、ＴｏＤｏＩＤ：Ｉ１０１は、ＴｏＤｏ付箋ＩＤが「Ｆ３０１」であり、業務内容（ＴｏＤｏ内容）が「仕様書作成」であり、担当が「Ａさん」であり、重要度が「高」であり、状態が「完了」であり、納期が「１０月３１日」であり、ＴｏＤｏ管理テーブル７００の２行目に示すように、ＴｏＤｏＩＤ：Ｉ１０２は、ＴｏＤｏ付箋ＩＤが「Ｆ３０２」であり、業務内容（ＴｏＤｏ内容）が「文献調達」であり、担当が「Ｂさん」であり、重要度が「低」であり、状態が「遅延」であり、納期が「９月３０日」である。
【００４３】
図８は、台紙内軸管理テーブル８００のデータ構造例を示す説明図である。台紙内軸管理テーブル８００は、貼付モジュール１４５によって管理されている。台紙内軸管理テーブル８００は、台紙ＩＤ欄８１０、軸ＩＤ欄８１５、縦軸／横軸欄８２０、始点位置欄８２５、終点位置欄８３０、軸付箋欄８３５、軸子付箋欄８４０を有しており、始点位置欄８２５は、Ｘ欄８２６、Ｙ欄８２７を有しており、終点位置欄８３０は、Ｘ欄８３１、Ｙ欄８３２を有しており、軸付箋欄８３５は、付箋ＩＤ欄８３６、位置欄８３７を有しており、位置欄８３７は、Ｘ欄８３８、Ｙ欄８３９を有しており、軸子付箋欄８４０は、付箋数欄８４１、付箋ＩＤ欄８４２、位置欄８４３を有しており、位置欄８４３は、Ｘ欄８４４、Ｙ欄８４５を有している。台紙ＩＤ欄８１０は、台紙ＩＤを記憶している。軸ＩＤ欄８１５は、本実施の形態において、軸を一意に識別するための情報（軸ＩＤ）を記憶している。縦軸／横軸欄８２０は、縦軸であるか横軸であるかの情報を記憶している。始点位置欄８２５は、始点位置を記憶している。Ｘ欄８２６は、始点位置のＸ座標を記憶している。Ｙ欄８２７は、始点位置のＹ座標を記憶している。終点位置欄８３０は、終点位置を記憶している。Ｘ欄８３１は、終点位置のＸ座標を記憶している。Ｙ欄８３２は、終点位置のＹ座標を記憶している。軸付箋欄８３５は、その軸の名称が記載されている付箋を記憶している。軸付箋は、第１付箋の具体例である。付箋ＩＤ欄８３６は、付箋ＩＤを記憶している。位置欄８３７は、位置を記憶している。Ｘ欄８３８は、Ｘ座標を記憶している。Ｙ欄８３９は、Ｙ座標を記憶している。軸子付箋欄８４０は、その軸上に貼り付けられる軸子付箋を記憶している。軸子付箋は、第２付箋の具体例である。付箋数欄８４１は、付箋数を記憶している。付箋ＩＤ欄８４２は、付箋ＩＤを記憶している。位置欄８４３は、位置を記憶している。Ｘ欄８４４は、Ｘ座標を記憶している。Ｙ欄８４５は、Ｙ座標を記憶している。付箋数欄８４１内の数だけ、付箋ＩＤ欄８４２と位置欄８４３の組が続く。
【００４４】
図９は、ＴｏＤｏリストからのカード化の処理例を示すフローチャートである。ここで、ＴｏＤｏリストは業務リストの具体例であって、カード化とは、付箋の生成と軸決定とその付箋の配置決定（配置決定は、マッピングともいわれる）を含む。主に、付箋生成モジュール１２０によって処理が行われる。
【００４５】
ステップＳ９０２では、ユーザーの操作にしたがって、台紙の縦軸又は横軸となる列をＴｏＤｏ管理テーブル７００から選択する。図１０の例を用いて説明する。例えば、表示装置に表示用ＴｏＤｏ管理テーブル１０００を表示する。図１０は、表示用ＴｏＤｏ管理テーブル１０００のデータ構造例を示す説明図である。表示用ＴｏＤｏ管理テーブル１０００は、ＴｏＤｏ管理テーブル７００から生成されたものであり、ＴｏＤｏ管理テーブル７００からＴｏＤｏＩＤ欄７１０、ＴｏＤｏ付箋ＩＤ欄７１５を省いたものである。表示用ＴｏＤｏ管理テーブル１０００は、業務内容（ＴｏＤｏ内容）欄１０２０、担当欄１０３０、重要度欄１０３５、状態欄１０４０、納期欄１０４５を有している。業務内容（ＴｏＤｏ内容）欄１０２０は、業務内容（ＴｏＤｏ内容）を表示している。担当欄１０３０は、担当を表示している。重要度欄１０３５は、重要度を表示している。状態欄１０４０は、状態を表示している。納期欄１０４５は、納期を表示している。図１０の例では、担当欄１０３０を縦軸として選択指示１０９０している。
【００４６】
ステップＳ９０４では、選択された列の属性を、軸用の付箋として出力する。第１付箋の生成の具体例である。そして、その属性の値を、軸の子付箋として出力する。第２付箋の生成の具体例である。次に、そして、ＴｏＤｏ管理テーブル７００の業務内容（ＴｏＤｏ内容）欄７２０の設定値があれば、ＴｏＤｏ付箋として出力する。第３付箋の生成の具体例である。
【００４７】
ステップＳ９０６では、縦軸又は横軸が設定されている場合、ユーザーの操作にしたがって、それぞれの軸の子付箋の位置を決定する。そして、その子付箋の位置にしたがって、ＴｏＤｏ付箋の位置を決定する。
ステップＳ９０８では、ＴｏＤｏ管理テーブル７００内の残りの列は、台紙の下の方に軸用の付箋の候補として出力する。例えば、ＴｏＤｏ管理テーブル７００の担当欄７３０がステップＳ９０２で選択された場合、重要度欄７３５の状態欄７４０、納期欄７４５の欄名称が記載された付箋が、軸用の付箋の候補として台紙上に貼り付けられることになる。
【００４８】
図１１の例を用いて説明する。図１１は、本実施の形態による処理例を示す説明図である。
表示用ＴｏＤｏ管理テーブル１０００の担当欄１０３０が縦軸として選択されているので、台紙１１００に縦軸（担当者軸）１１１０を描画する。
縦軸（担当者軸）１１１０の軸付箋として、付箋（担当）１１１２を生成する。付箋（担当）１１１２は、表示用ＴｏＤｏ管理テーブル１０００の担当欄１０３０の欄の名称、つまり、この場合は「担当」を内容とする付箋である。
縦軸（担当者軸）１１１０の軸子付箋として、付箋（Ａさん）１１１４、付箋（Ｂさん）１１１６、付箋（Ｎｏｔ  Ａｓｓｉｇｎｅｄ）１１１８を生成する。付箋（Ａさん）１１１４、付箋（Ｂさん）１１１６は、担当欄１０３０内の値、つまり、この場合は「Ａさん」、「Ｂさん」を内容とする付箋である。そして、表示用ＴｏＤｏ管理テーブル１０００の担当欄１０３０内に空白の欄があるので、付箋（Ｎｏｔ  Ａｓｓｉｇｎｅｄ）１１１８を生成している。
縦軸（担当者軸）１１１０のＴｏＤｏ付箋として、付箋（ＩＴＥＭ  １）１１２１、付箋（ＩＴＥＭ  ２）１１２２、付箋（ＩＴＥＭ  ３）１１２３、付箋（ＩＴＥＭ  ４）１１２４、付箋（ＩＴＥＭ  ｎ）１１２ｎを生成する。これらは、表示用ＴｏＤｏ管理テーブル１０００の業務内容（ＴｏＤｏ内容）欄１０２０から生成されている。
【００４９】
軸付箋の候補である付箋（納期）１１３２、付箋（重要度）１１４２、付箋（状態）１１５２は、表示用ＴｏＤｏ管理テーブル１０００の選択された担当欄１０３０以外の属性名（具体的には、納期欄１０４５、重要度欄１０３５、状態欄１０４０）から作成されている。これらは、縦軸（担当者軸）１１１０で構成される空間外の領域に配置されている。
横軸領域１１３０内に、軸付箋の候補をセットすることができる。具体的には、付箋（納期）１１３２、付箋（重要度）１１４２、付箋（状態）１１５２のいずれかが、横軸領域１１３０に移動された場合、横軸を生成して、その付箋に対応する表示用ＴｏＤｏ管理テーブル１０００の属性にしたがって、付箋（ＩＴＥＭ  １）１１２１等の位置を移動する。
【００５０】
図１２は、本実施の形態による処理例を示すフローチャートである。図９の例では、１つの軸が選択された場合の処理例を示していたが、図１２の例では、２つの軸が選択された場合の処理例を示すものである。
【００５１】
ステップＳ１２０２では、ユーザーの操作にしたがって、台紙の縦軸又は横軸となる列をＴｏＤｏ管理テーブル７００から選択する。図１３の例を用いて説明する。例えば、表示装置に表示用ＴｏＤｏ管理テーブル１０００を表示する。この表示用ＴｏＤｏ管理テーブル１０００は、図１０の例に示した表示用ＴｏＤｏ管理テーブル１０００と同等のものである。図１３の例では、担当欄１０３０を縦軸として選択指示１３９０している。重要度欄１０３５を横軸として選択指示１３９５している。
【００５２】
ステップＳ１２０４では、２つの列が選択されたか否かを判断し、選択された場合はステップＳ１２０６へ進み、それ以外の場合はステップＳ１２１４へ進む。
ステップＳ１２０６では、一方の列を縦軸とし、他方の列を横軸とする。
ステップＳ１２０８では、選択された列の属性を、軸用の付箋として出力する。そして、その属性の値を、軸の子付箋として出力する。次に、ＴｏＤｏ管理テーブル７００の業務内容（ＴｏＤｏ内容）欄７２０の設定値があれば、ＴｏＤｏ付箋として出力する。
ステップＳ１２１０では、縦軸用の付箋と横軸用の付箋の交わる位置に、ＴｏＤｏ付箋を貼り付ける。
ステップＳ１２１２では、ＴｏＤｏ管理テーブル７００内の残りの列は、台紙の下の方に軸用の付箋の候補として出力する。
ステップＳ１２１４では、図９の例に示すフローチャートのステップＳ９０４以降の処理を行う。
【００５３】
図１４の例を用いて説明する。図１４は、本実施の形態による処理例を示す説明図である。
表示用ＴｏＤｏ管理テーブル１０００の担当欄１０３０が縦軸として選択されているので、台紙１４００に縦軸（担当者軸）１４１０を描画する。
表示用ＴｏＤｏ管理テーブル１０００の重要度欄１０３５が横軸として選択されているので、台紙１４００に横軸（重要度軸）１４４０を描画する。
縦軸（担当者軸）１４１０の軸付箋として、付箋（担当）１４１２を生成する。付箋（担当）１４１２は、表示用ＴｏＤｏ管理テーブル１０００の担当欄１０３０の欄の名称、つまり、この場合は「担当」を内容とする付箋である。
縦軸（担当者軸）１４１０の軸子付箋として、付箋（Ａさん）１４１４、付箋（Ｂさん）１４１６、付箋（Ｎｏｔ  Ａｓｓｉｇｎｅｄ）１４１８を生成する。付箋（Ａさん）１４１４、付箋（Ｂさん）１４１６は、担当欄１０３０内の値、つまり、この場合は「Ａさん」、「Ｂさん」を内容とする付箋である。そして、表示用ＴｏＤｏ管理テーブル１０００の担当欄１０３０内に空白の欄があるので、付箋（Ｎｏｔ  Ａｓｓｉｇｎｅｄ）１４１８を生成している。
横軸（重要度軸）１４４０の軸付箋として、付箋（重要度）１４４２を生成する。付箋（重要度）１４４２は、表示用ＴｏＤｏ管理テーブル１０００の重要度欄１０３５の欄の名称、つまり、この場合は「重要度」を内容とする付箋である。
横軸（重要度軸）１４４０の軸子付箋として、付箋（高）１４４４、付箋（低）１４４６、付箋（不明）１４４８を生成する。付箋（高）１４４４、付箋（低）１４４６は、重要度欄１０３５内の値、つまり、この場合は「高」、「低」を内容とする付箋である。そして、表示用ＴｏＤｏ管理テーブル１０００の重要度欄１０３５内に空白の欄があるので、付箋（不明）１４４８を生成している。
そして、縦軸（担当者軸）１４１０と横軸（重要度軸）１４４０のＴｏＤｏ付箋として、付箋（ＩＴＥＭ  １）１４２１、付箋（ＩＴＥＭ  ２）１４２２、付箋（ＩＴＥＭ  ３）１４２３、付箋（ＩＴＥＭ  ４）１４２４、付箋（ＩＴＥＭ  ｎ）１４２ｎを生成する。これらは、表示用ＴｏＤｏ管理テーブル１０００の業務内容（ＴｏＤｏ内容）欄１０２０から生成されている。これらの付箋の位置は、縦軸（担当者軸）１４１０上の軸子付箋と横軸（重要度軸）１４４０上の軸子付箋の位置によって決定される。つまり、付箋（Ａさん）１４１４と付箋（高）１４４４の交差位置に付箋（ＩＴＥＭ  １）１４２１、付箋（Ｂさん）１４１６と付箋（低）１４４６の交差位置に付箋（ＩＴＥＭ  ｎ）１４２ｎ、付箋（Ｎｏｔ  Ａｓｓｉｇｎｅｄ）１４１８と付箋（不明）１４４８との交差位置に付箋（ＩＴＥＭ  ２）１４２２、付箋（ＩＴＥＭ  ３）１４２３、付箋（ＩＴＥＭ  ４）１４２４を配置する。
【００５４】
軸付箋の候補である付箋（納期）１４３２、付箋（状態）１４５２は、表示用ＴｏＤｏ管理テーブル１０００の選択された担当欄１０３０と重要度欄１０３５以外の属性名（具体的には、納期欄１０４５、状態欄１０４０）から作成されている。これらは、縦軸（担当者軸）１１１０と横軸（重要度軸）１４４０で構成される空間外の領域に配置されている。
ここで、付箋（担当）１４１２又は付箋（重要度）１４４２の代わりに付箋（納期）１４３２又は付箋（状態）１４５２を配置することができる。その場合は、納期欄１０４５又は状態欄１０４０内の値にしたがって、軸子付箋が生成される。なお、図１０の例に示した表示用ＴｏＤｏ管理テーブル１０００の場合、空白であるので、「不明」と記載された付箋が１つ生成されて、その軸上に配置されることになる。
【００５５】
図１５は、本実施の形態による処理例を示す説明図である。
ユーザーの操作によって、軸用の付箋が移動された場合、その移動にともなって、その軸の子付箋も移動させる。
図１５の例は、図１４の例に示した軸子付箋の位置を変更したものである。具体的には、ユーザーが、付箋（高）１４４４と付箋（低）１４４６の位置を交換した場合、それにともなって付箋（ＩＴＥＭ  １）１４２１、付箋（ＩＴＥＭ  ｎ）１４２ｎの位置を変更する。もちろんのことながら、付箋（Ａさん）１４１４と付箋（高）１４４４の交差位置に付箋（ＩＴＥＭ  １）１４２１、付箋（Ｂさん）１４１６と付箋（低）１４４６の交差位置に付箋（ＩＴＥＭ  ｎ）１４２ｎを配置すること自体は、図１４の例と同じである。
【００５６】
台紙に貼付けられた付箋からＴｏＤｏリストを生成するための処理例を説明する。図１６と図１７の例に示す処理を行う。
図１６は、ＴｏＤｏリスト化の列決定の処理例を示すフローチャートである。
ステップＳ１６０２では、縦軸の属性付箋をＴｏＤｏ管理テーブル７００の属性欄７２５内の１列目にする。具体的には、台紙上の縦軸の近辺に配置されている付箋であって、付箋情報テーブル６００のタイプ欄６７０から第１付箋である付箋を抽出すればよい。
ステップＳ１６０４では、横軸の属性付箋をＴｏＤｏ管理テーブル７００の属性欄７２５内の２列目にする。具体的には、台紙上の横軸の近辺に配置されている付箋であって、付箋情報テーブル６００のタイプ欄６７０から第１付箋である付箋を抽出すればよい。
【００５７】
ステップＳ１６０６では、色での属性付箋が追加されているか否かを判断し、追加されている場合はステップＳ１６０８へ進み、それ以外の場合はステップＳ１６１０へ進む。
ステップＳ１６０８では、色の属性付箋を次の列にする。具体的には、付箋情報テーブル６００の色欄６４５から色付きの付箋を抽出すればよい。
【００５８】
ステップＳ１６１０では、グループでの属性付箋が追加されているか否かを判断し、追加されている場合はステップＳ１６１２へ進み、それ以外の場合はステップＳ１６１４へ進む。具体的には、付箋情報テーブル６００の所属グループ欄６６５からグループが付与されている付箋を抽出すればよい。
ステップＳ１６１２では、グループの属性付箋を次の列にする。
【００５９】
ステップＳ１６１４では、その他に追加された属性付箋が残っているか否かを判断し、残っている場合はステップＳ１６１６へ進み、それ以外の場合は処理を終了する（ステップＳ１６９９）。具体的には、付箋情報テーブル６００の枠線形状欄６５０、枠線色欄６５５等から属性が付与されている付箋を抽出すればよい。
ステップＳ１６１６では、その属性付箋を次の列にする。
【００６０】
図１７は、付箋をＴｏＤｏリストのアイテム化として設定する処理例を示すフローチャートである。
ステップＳ１７０２では、ＴｏＤｏ管理テーブル７００の属性欄７２５内の１列目の設定値を付箋の縦軸の位置から決定する。
ステップＳ１７０４では、ＴｏＤｏ管理テーブル７００の属性欄７２５内の２列目の設定値を付箋の横軸の位置から決定する。
【００６１】
ステップＳ１７０６では、色での属性列がセットされているか否かを判断し、セットされている場合はステップＳ１７０８へ進み、それ以外の場合はステップＳ１７１０へ進む。
ステップＳ１７０８では、付箋の色に応じた設定値をアイテムの値として設定する。
【００６２】
ステップＳ１７１０では、グループでの属性列がセットされているか否かを判断し、セットされている場合はステップＳ１７１２へ進み、それ以外の場合はステップＳ１７１４へ進む。
ステップＳ１７１２では、付箋が属するグループラベルの設定値をアイテムの値として設定する。
【００６３】
ステップＳ１７１４では、その他の属性列がセットされているか否かを判断し、セットされている場合はステップＳ１７１６へ進み、それ以外の場合は処理を終了する（ステップＳ１７９９）。
ステップＳ１７１６では、付箋に設定されている設定値をアイテムの値として設定する。
【００６４】
図１８は、本実施の形態による処理例を示す説明図である。この図１８は、図１５の例に付箋（中）１８４５を加えた例を示すものである。
また、付箋の色がＴｏＤｏ項目の状態を示している。具体的には、赤色の付箋（図１８の例では黒色の付箋（ＩＴＥＭ  ２）１４２２、付箋（ＩＴＥＭ  ３）１４２３、付箋（ＩＴＥＭ  ４）１４２４）は、状態が進捗度０％であることを示しており、青色の付箋（図１８の例では斜線の付箋（ＩＴＥＭ  １）１４２１、付箋（ＩＴＥＭ  ｎ）１４２ｎ）は、状態が進捗度８０％であることを示している。
【００６５】
図１８の例に示す台紙１８００内の付箋から表示用ＴｏＤｏ管理テーブル１９００を生成する。図１９は、表示用ＴｏＤｏ管理テーブル１９００のデータ構造例を示す説明図である。
表示用ＴｏＤｏ管理テーブル１９００は、業務内容（ＴｏＤｏ内容）欄１９２０、担当欄１９３０、重要度欄１９３５、状態欄１９４０、納期欄１９４５を有している。業務内容（ＴｏＤｏ内容）欄１９２０は、業務内容（ＴｏＤｏ内容）を記憶している。担当欄１９３０は、担当を記憶している。重要度欄１９３５は、重要度を記憶している。状態欄１９４０は、状態を記憶している。納期欄１９４５は、納期を記憶している。
【００６６】
図１８の例に示す台紙１８００内の付箋の位置、属性（図１８の例では付箋の色）にしたがって、表示用ＴｏＤｏ管理テーブル１９００を生成（又は表示用ＴｏＤｏ管理テーブル１０００を修正）する。具体的には、付箋（ＩＴＥＭ  １）１４２１は付箋（Ａさん）１４１４と付箋（高）１４４４の交差の位置にあり、その色は青であることから、表示用ＴｏＤｏ管理テーブル１９００の１行目に示すように、担当（担当欄１９３０）が「Ａさん」、重要度（重要度欄１９３５）が「高」、状態（状態欄１９４０）が「８０％」となり、付箋（ＩＴＥＭ  ２）１４２２は付箋（Ｎｏｔ  Ａｓｓｉｇｎｅｄ）１４１８と付箋（不明）１４４８の交差の位置にあり、その色は赤であることから、表示用ＴｏＤｏ管理テーブル１９００の２行目に示すように、担当（担当欄１９３０）が「Ｎｏｔ  Ａｓｓｉｇｎｅｄ（空欄）」、重要度（重要度欄１９３５）が「不明（空欄）」、状態（状態欄１９４０）が「０％」となり、付箋（ＩＴＥＭ  ３）１４２３は付箋（Ｎｏｔ  Ａｓｓｉｇｎｅｄ）１４１８と付箋（不明）１４４８の交差の位置にあり、その色は赤であることから、表示用ＴｏＤｏ管理テーブル１９００の３行目に示すように、担当（担当欄１９３０）が「Ｎｏｔ  Ａｓｓｉｇｎｅｄ（空欄）」、重要度（重要度欄１９３５）が「不明（空欄）」、状態（状態欄１９４０）が「０％」となり、付箋（ＩＴＥＭ  ４）１４２４は付箋（Ｂさん）１４１６と付箋（中）１８４５の交差の位置にあり、その色は赤であることから、表示用ＴｏＤｏ管理テーブル１９００の４行目に示すように、担当（担当欄１９３０）が「Ｂさん」、重要度（重要度欄１９３５）が「中」、状態（状態欄１９４０）が「０％」となり、付箋（ＩＴＥＭ  ｎ）１４２ｎは付箋（Ｂさん）１４１６と付箋（低）１４４６の交差の位置にあり、その色は青であることから、表示用ＴｏＤｏ管理テーブル１９００の５行目に示すように、担当（担当欄１９３０）が「Ｂさん」、重要度（重要度欄１９３５）が「低」、状態（状態欄１９４０）が「８０％」となる。
【００６７】
なお、本実施の形態としてのプログラムが実行されるコンピュータのハードウェア構成は、図２０に例示するように、一般的なコンピュータであり、具体的にはパーソナルコンピュータ、サーバーとなり得るコンピュータ等である。つまり、具体例として、処理部（演算部）としてＣＰＵ２００１を用い、記憶装置としてＲＡＭ２００２、ＲＯＭ２００３、ＨＤＤ２００４を用いている。ＨＤＤ２００４として、例えば、ＨＤＤ（Ｈａｒｄ  Ｄｉｓｋ  Ｄｒｉｖｅの略）、フラッシュ・メモリであるＳＳＤ（Ｓｏｌｉｄ  Ｓｔａｔｅ  Ｄｒｉｖｅの略）等を用いてもよい。付箋・業務リスト管理モジュール１１０、業務リスト生成モジュール１１５、付箋生成モジュール１２０、操作受付モジュール１２５、付箋処理モジュール１３０、変換モジュール１３５、移動モジュール１４０、貼付モジュール１４５、表示モジュール１５０等のプログラムを実行するＣＰＵ２００１と、そのプログラムやデータを記憶するＲＡＭ２００２と、本コンピュータを起動するためのプログラム等が格納されているＲＯＭ２００３と、業務リスト記憶モジュール１０５等としての機能を有する補助記憶装置であるＨＤＤ２００４と、キーボード、マウス、タッチスクリーン、マイク、カメラ（視線検知カメラ等を含む）等に対する利用者の操作（動作、音声、視線等を含む）に基づいてデータを受け付ける受付装置２００６と、ＣＲＴ、液晶ディスプレイ、スピーカー等の出力装置２００５と、ネットワークインタフェースカード等の通信ネットワークと接続するための通信回線インタフェース２００７、そして、それらをつないでデータのやりとりをするためのバス２００８により構成されている。これらのコンピュータが複数台互いにネットワークによって接続されていてもよい。
【００６８】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２０に示すハードウェア構成は、１つの構成例を示すものであり、本実施の形態は、図２０に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）や再構成可能な集積回路（ｆｉｅｌｄ−ｐｒｏｇｒａｍｍａｂｌｅ  ｇａｔｅ  ａｒｒａｙ：ＦＰＧＡ）等）で構成してもよく、一部のモジュールは外部のシステム内にあり通信回線で接続している形態でもよく、さらに図２０に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００６９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌの略）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７０】
１００…情報処理装置
１０５…業務リスト記憶モジュール
１１０…付箋・業務リスト管理モジュール
１１５…業務リスト生成モジュール
１２０…付箋生成モジュール
１２５…操作受付モジュール
１３０…付箋処理モジュール
１３５…変換モジュール
１４０…移動モジュール
１４５…貼付モジュール
１５０…表示モジュール
２１０…ユーザー端末
２５０…電子付箋端末
２８０…会議室
２９０…業務リスト管理装置
２９４…台紙・付箋情報記憶装置
２９８、２９９…通信回線
【図１】
2020140280.tif 000003
【図２】
2020140280.tif 000004
【図３】
2020140280.tif 000005
【図４】
2020140280.tif 000006
【図５】
2020140280.tif 000007
【図６】
2020140280.tif 000008
【図７】
2020140280.tif 000009
【図８】
2020140280.tif 000010
【図９】
2020140280.tif 000011
【図１０】
2020140280.tif 000012
【図１１】
2020140280.tif 000013
【図１２】
2020140280.tif 000014
【図１３】
2020140280.tif 000015
【図１４】
2020140280.tif 000016
【図１５】
2020140280.tif 000017
【図１６】
2020140280.tif 000018
【図１７】
2020140280.tif 000019
【図１８】
2020140280.tif 000020
【図１９】
2020140280.tif 000021
【図２０】
2020140280.tif 000022